(57)【特許請求の範囲】
【請求項１】
デジタル放送番組の映像情報を受信するとともに、１又は複数のデジタル放送番組を特定するための特定情報と、その１又は複数のデジタル放送番組の開始時刻を示す開始時刻情報とを含む番組指定情報を受信する受信手段と、
前記受信手段が受信した前記映像情報に基づく映像信号を出力する映像信号出力部と、
所定の番組指定情報が選択されると、その選択された番組指定情報を番組予約部に設定する番組情報管理部と、
前記番組予約部に前記番組指定情報が設定されている場合、現在時刻が、設定されている前記番組指定情報に含まれる前記開始時刻となったか否かを監視し、現在時刻がその開始時刻になると、前記特定情報によって特定されるデジタル放送番組を受信するよう前記受信手段を制御する制御部と
を有し、
前記開始時刻情報は、デジタル放送番組の放送が開始する時刻そのものを示す情報である絶対時刻情報、又は、デジタル放送番組の放送が開始する時刻を所定の時刻からの経過時間で示す情報である相対時刻情報であり、
前記制御手段は、前記絶対時刻情報によって開始時刻が示されるデジタル放送番組の放送中に、前記相対時刻情報によって開始時刻が示されるデジタル放送番組の放送開始時刻になったときは、前記相対時刻情報によって示されるデジタル放送番組を受信するよう前記受信手段を制御することを特徴とするデジタル放送受信装置。
【請求項２】
前記特定情報は複数のデジタル放送番組を特定するための情報であることを特徴とする請求項１記載のデジタル放送受信装置。
【請求項３】
前記受信手段は、前記デジタル放送番組に関する情報であるとともに、前記番組指定情報を選択する際の選択基準である番組選択項目を含む前記特定情報を受信し、
前記制御部は、選択された前記所定の番組指定情報の前記番組選択項目によって示される条件を満たすデジタル放送番組を受信するよう前記受信手段を制御することを特徴とする請求項１又は２に記載のデジタル放送受信装置。
【請求項４】
前記番組情報管理部は、前記受信手段が新たな番組指定情報を受信すると、その新たな番組指定情報の内、選択された前記所定の番組指定情報の前記番組選択項目によって示される条件を満たす番組指定情報を新たに番組予約部に設定することを特徴とする請求項３記載のデジタル放送受信装置。
【請求項５】
前記制御部は、所定の番組選択項目を指定する情報であるユーザ情報が前記番組情報管理部に設定されている場合、そのユーザ情報によって指定される番組選択項目によって示される条件を満たすデジタル放送番組を受信するよう前記受信手段を制御することを特徴とする請求項３又は４に記載のデジタル放送受信装置。
【請求項６】
前記制御部は、前記番組指定情報によって特定される一のデジタル放送番組の放送が終了した場合において、前記番組指定情報によって特定される他のデジタル放送番組が放送中であるときは、前記他のデジタル放送番組を受信するよう前記受信手段を制御することを特徴とする請求項１〜５のいずれか１項に記載のデジタル放送受信装置。
【請求項７】
前記制御部は、前記番組指定情報によって特定される一のデジタル放送番組の放送が終了した場合において、前記番組指定情報によって特定される他のデジタル放送番組が放送中ではないときは、前記映像信号出力部の電源をオフにすることを特徴とする請求項１〜６のいずれか１項に記載のデジタル放送受信装置。
【発明の詳細な説明】
【技術分野】
【０００１】
本発明は、デジタル放送により放送された放送番組を受信するデジタル放送受信装置に関する。
【背景技術】
【０００２】
従来のアナログ放送システムに代わり、映像や音声等のコンテンツ（以下、番組と記す）をデジタル化し、複数のデジタル放送番組を時分割多重したＴＳ（トランスポートストリーム）としてデジタル放送するシステムの開発が盛んに行われている。このようなデジタル放送システムでは、デジタル放送番組に加えて、サービス情報や番組情報を含むＳI(Ｓervice Information)と呼ばれる番組配列情報が多重化されて放送される。この番組配列情報は番組表や番組内容に関する情報が記述されたテーブル形式のデータである。受信機側ではこのデータを利用して番組情報を得ている。番組情報としては番組名、番組内容、番組開始時刻、番組継続時間、番組ジャンル情報、放送日時等があり、ユーザにはＥＰＧ（Electronic Program Guide）機能としての番組表や番組の視聴予約や録画予約を行うことが可能となっている。また、番組ジャンル情報を用い、ユーザが入力したジャンルに対応するジャンル情報を有する番組を抽出して一覧表示することも可能となっている。
【０００３】
また、放送が多チャンネル化することで、番組内容も多様化してきている。このため、番組の内容などに応じてデジタル放送受信装置、デジタル放送送信装置および番組情報のデータ構造を制御する番組情報も送信されている。
【０００４】
このような情報の一例としてパレンタル情報がある。このパレンタル情報は、デジタル舗装受信機において番組の視聴制限を可能とするために用いられる情報である。例えば、ＴＳではＰＭＴ（Program  Map  Table）の第１ループに配置する限定受信方式記述子のプライベートデータバイト領域の先頭１バイトを用いて記述される。この１バイトに、「０x００」と記述すればパレンタル指定なしが、「０x０１」〜「０x１１」を記述すれば視聴制限を行う最低年齢４〜２０が、それぞれ定義される。受信機側では予め視聴を希望しない番組の基準を指定する基準情報を設定し、指定を解除するパスワードも設定される。
【０００５】
これらの情報を利用したデジタル放送受信装置、デジタル放送送信装置および番組情報のデータ構造が多々ある。
【０００６】
例えば、特許文献１のデジタル放送受信装置では、この制限情報と番組情報を利用した視聴制限を提案している。また、特許文献２のデジタル放送受信装置では、視聴制限機能により、自動的に受信チャンネルを変更し、適合するプロモーションチャンネル等、支障なく出力できる番組に切替えるようにしている。さらに、特許文献３のデジタル放送受信装置では、番組情報からキーワードデータベースを受信機内に作成し、シリーズ番組を抽出し、これを一括予約することで番組予約を簡略化している。さらに、特許文献４のデジタル放送受信装置では、放送番組案内サービスやＥＩＴ情報により予約番組を開始から終了まで正しく録画し、視聴するようにしている。
【特許文献１】特開２００４−７５１４号公報
【特許文献２】特開平１０−２４２８７４号公報
【特許文献３】特開２００１−２５７９６１号公報
【特許文献４】特開２００１−３２６８６５号公報
【発明の開示】
【発明が解決しようとする課題】
【０００７】
しかし、これらの文献に記載の従来技術では、ユーザが主体的に番組を選択・予約するための補助手段として考案されており、コンテンツを提供する放送局等のコンテンツ送信側が予め意図した順番で特定の番組を提供する発明は、提案されていない。
【０００８】
そのため、かかる従来装置では、ユーザが自分の好みの番組を選択するために、キーワードやジャンル、予約時間などをユーザ自身が各種設定や選択する必要があり、煩わしい、という問題があった。
【０００９】
本発明は、上記問題点に鑑みなされたもので、ユーザの嗜好に合った放送番組をユーザの手を煩わさず簡単かつ自動的に受信してディスプレイに出力し再生させることができるデジタル放送受信装置を提供することを目的とする。
【課題を解決するための手段】
【００１０】
上記課題を解決するため、本発明のデジタル放送受信装置は、デジタル放送番組の映像情報を受信するとともに、１又は複数のデジタル放送番組を特定するための特定情報と、その１又は複数のデジタル放送番組の開始時刻を示す開始時刻情報とを含む番組指定情報を受信する受信手段と、前記受信手段が受信した前記映像情報に基づく映像信号を出力する映像信号出力部と、所定の番組指定情報が選択されると、その選択された番組指定情報を番組予約部に設定する番組情報管理部と、前記番組予約部に前記番組指定情報が設定されている場合、現在時刻が、設定されている前記番組指定情報に含まれる前記開始時刻となったか否かを監視し、現在時刻がその開始時刻になると、前記特定情報によって特定されるデジタル放送番組を受信するよう前記受信手段を制御する制御部とを有し、前記開始時刻情報は、デジタル放送番組の放送が開始する時刻そのものを示す情報である絶対時刻情報、又は、デジタル放送番組の放送が開始する時刻を所定の時刻からの経過時間で示す情報である相対時刻情報であり、前記制御手段は、前記絶対時刻情報によって開始時刻が示されるデジタル放送番組の放送中に、前記相対時刻情報によって開始時刻が示されるデジタル放送番組の放送開始時刻になったときは、前記相対時刻情報によって示されるデジタル放送番組を受信するよう前記受信手段を制御するものである。
また、前記特定情報は複数のデジタル放送番組を特定するための情報であっても良い。
また、前記受信手段は、前記デジタル放送番組に関する情報であるとともに、前記番組指定情報を選択する際の選択基準である番組選択項目を含む前記特定情報を受信し、前記制御部は、選択された前記所定の番組指定情報の前記番組選択項目によって示される条件を満たすデジタル放送番組を受信するよう前記受信手段を制御するようにしても良い。
また、前記番組情報管理部は、前記受信手段が新たな番組指定情報を受信すると、その新たな番組指定情報の内、選択された前記所定の番組指定情報の前記番組選択項目によって示される条件を満たす番組指定情報を新たに番組予約部に設定するようにしても良い。
また、前記制御部は、所定の番組選択項目を指定する情報であるユーザ情報が前記番組情報管理部に設定されている場合、そのユーザ情報によって指定される番組選択項目によって示される条件を満たすデジタル放送番組を受信するよう前記受信手段を制御するようにしても良い。
また、前記制御部は、前記番組指定情報によって特定される一のデジタル放送番組の放送が終了した場合において、前記番組指定情報によって特定される他のデジタル放送番組が放送中であるときは、前記他のデジタル放送番組を受信するよう前記受信手段を制御するようにしても良い。
また、前記制御部は、前記番組指定情報によって特定される一のデジタル放送番組の放送が終了した場合において、前記番組指定情報によって特定される他のデジタル放送番組が放送中ではないときは、前記映像信号出力部の電源をオフにするようにしても良い。
また、前記開始時刻情報は、デジタル放送番組の放送が開始する時刻そのものを示す情報である絶対時刻情報、又は、デジタル放送番組の放送が開始する時刻を所定の時刻からの経過時間で示す情報である相対時刻情報であり、前記制御手段は、前記絶対時刻情報によって開始時刻が示されるデジタル放送番組の放送中に、前記相対時刻情報によって開始時刻が示されるデジタル放送番組の放送開始時刻になったときは、前記相対時刻情報によって示されるデジタル放送番組を受信するよう前記受信手段を制御するようにしても良い。
【発明の効果】
【００１５】
本発明のデジタル放送受信装置によれば、自動的に番組を受信するので、ユーザの手を煩わすことなく簡単かつ自動的にデジタル放送番組を受信させて再生することができる。
【発明を実施するための最良の形態】
【００１６】
図１は、本発明の第１の実施の形態に関わるデジタル放送受信装置の構成の一例を示すブロック図である。
【００１７】
図１において、本実施の形態１のデジタル放送受信装置は、アンテナ１、受信手段としてのチューナ２、分離部３、映像デコーダ４、音声デコーダ５、出力手段としての映像出力部６および音声出力部７、モード設定手段としてのユーザ入力部８、制御手段としての制御部９、番組情報管理部１０、合成部１１、番組指定情報メモリ１２、番組予約部１３を備えている。なお、本発実施の形態のデジタル放送受信装置は、ディスプレイやスピーカーを内蔵したテレビ受像機等と一体で構成される形態であってもよいし、セットトップボックス（ＳＴＢ）やＤＶＤ・ＨＤＤレコーダを用いた外部記録装置のようにディスプレイ等のテレビ受像機と独立して構成される形態でもよい。
【００１８】
チューナ２は、ユーザが指示した番組を放送するチャンネルのデジタル放送番組を、アンテナ１を介し受信して、受信したデジタル放送電波に復調処理や誤り訂正処理等を施して、トランスポートストリーム形式のデジタル信号を出力するものである。
【００１９】
分離部３は、チューナ２から出力されるトランスポートストリームをＴＳパケットに分離し、そのＴＳパケットからユーザが指示した番組の映像パケット、音声パケット及びそれ以外の後述する本発明の番組指定一覧情報や番組指定情報、制御情報（ＰＳＩ，ＳＩ）等の管理情報を抽出し、抽出した映像パケット、音声パケット及び管理情報を、それぞれ映像デコーダ４、音声デコーダ５及び番組情報管理部１０に供給するものである。なお、各パケットは、固定レートのストリームに変換された後に、各デコーダ４，５に供給される。
【００２０】
映像デコーダ４は、分離部３で分離された映像パケットをデコード処理して、映像データを復元するものである。
【００２１】
音声デコーダ５は、分離部３で分離された音声パケットをデコード処理して、音声データを復元するものである。なお、映像デコーダ４から出力される画像データは、合成部１１により番組指定一覧情報や番組指定情報と合成され、映像出力部６によりディスプレイ（図示せず）などに表示できる映像信号に変換される。
【００２２】
音声出力部７は、音声デコーダ５から出力される音声データをスピーカー（図示せず）などで出力できる音声信号に変換するものである。
【００２３】
ユーザ入力部８は、例えば、リモコン等であって、ユーザから入力される指示、例えば、番組選択や時間帯設定、趣味嗜好情報等を制御部９に指示するもので、本実施の形態１の場合、さらに、自動再生モードの設定や、ユーザの嗜好に合致した番組指定情報の指定情報番号を入力等するものである。
【００２４】
制御部９は、番組選局、番組指定情報の設定／変更、番組指定情報に基づく番組予約設定などに関する指示を与えて、チューナ２、分離部３、映像出力部６、音声出力部７、番組情報管理部１０、合成部１１、及び番組予約部１３を制御するもので、特に、本実施の形態では、自動再生モードが有効と設定された場合、番組予約部１３に設定された予約に基づき電源オンして、予約されたデジタル放送番組をチューナ２に受信させ、音声出力部７を介しスピーカに出力して再生させると共に、映像出力部８によりディスプレイに出力して再生させ、その再生終了後、電源オフするよう制御するものである。
【００２５】
番組情報管理部１０は、分離部３で分離された番組指定情報や、番組指定情報の一覧を示す番組指定一覧情報などの管理情報を取得し、ユーザによって選択された番組指定情報を番組指定情報メモリ１２に記憶して管理するものである。
【００２６】
番組予約部１３は、制御部９を介したユーザ入力部８からの指示に従って、番組指定情報メモリ１２に記憶された番組予約情報に基づき各番組の視聴を予約するものである。
【００２７】
次に、本実施の形態における自動再生モードによる予約設定までの動作を説明する。
【００２８】
図２は、本実施の形態１における番組指定情報を取得して設定するまでの手順を示すフローチャートである。
【００２９】
なお、この例では、予めユーザがユーザ情報（パレンタルレベル、放送時間帯、趣味嗜好等）をユーザ入力部８により制御部９を介し番組情報管理部１０に設定していた場合を想定しているが、本発明では、ユーザ情報（パレンタルレベル、放送時間帯、趣味嗜好等）の設定は任意で省略可能である。
【００３０】
まず、ユーザがユーザ入力部８を介しデジタル放送受信装置の電源をオンし(Ｓ１１０)、ユーザがユーザ入力部８により選局を行うと、制御部９は、その選局に基づきチューナ２に選局指示を送り、チューナ２は、指示されたチャンネルを選局して（Ｓ１２０）、選局されたチャンネルのデジタル放送番組を受信し再生する（Ｓ１３０）。
【００３１】
具体的には、デジタル放送受信装置では、ユーザにより選局されたデジタル放送番組の受信開始の指示をチューナ２に対し出力すると、チューナ２が図示しない放送局から放送されてくるデジタル放送番組をアンテナ１を介し受信して、分離部３へ出力する。
【００３２】
分離部３は、チューナ２がアンテナ１を介し受信したデジタル放送番組から音声データ、映像データ、その他の制御情報を分離して、それぞれ、音声デコーダ５、映像デコーダ４、番組情報管理部１０へ出力する。
【００３３】
すると、音声デコーダ５、映像デコーダ４、番組情報管理部１０は、それぞれ、音声、映像、及びその他の番組情報の処理を開始し、音声出力部７、合成部１１、制御部９へ出力して、選局して受信したデジタル放送の番組を出力する。ここまでは、通常の動作である。
【００３４】
そして、本実施の形態では、その電源オン中に、制御部９が、ユーザにより自動再生モードが予め有効に設定されていたか否かを判断し(Ｓ１４０)、自動再生モードが有効に設定されていなければ(Ｓ１４０”ＮＯ”)、現在受信してディスプレイに出力し再生しているデジタル放送番組の再生終了と共に、終了する。なお、自動再生モードとは、ユーザがユーザ入力部８により予め設定するもので、デジタル放送番組の選局や再生をユーザではなく、放送局や外部装置等のデジタル放送受信装置以外の他の装置に一任する場合に設定するモードで、自動再生モードを有効にするか否かの設定は、ユーザの選択による。
【００３５】
これに対し、ユーザがユーザ入力部８により自動再生モードを有効に設定していた場合(Ｓ１４０”ＹＥＳ”)、制御部９は、自動再生モード有効を、番組情報管理部１０に対し指示する。
【００３６】
すると、番組情報管理部１０は、分離部３から番組指定情報が複数掲載された番組指定一欄情報や番組指定情報を取得し(Ｓ１５０）、まずは、その番組指定一欄情報に含まれる番組指定情報が予め設定されたユーザ情報（パレンタルレベル、放送時間帯、趣味嗜好等）に適合するか否かを判断する(Ｓ１６０）。なお、番組指定一覧情報の具体例は、後述する図３で説明する。
【００３７】
ここで、この番組指定一欄情報や番組指定情報は、放送局からデジタル放送番組に付随して放送されてきたものでも、放送局の放送装置とは他の送信装置、例えばケーブルテレビ会社や、デジタル放送の中継装置からデジタル放送番組とは別に配信されたものでも、あるいはインターネットやケーブル回線等によりプロバイダ等の送信装置から配信されてきたものでも良いし、工場出荷の際に予めデジタル放送受信装置に予め設定もしくは記憶されていても勿論よい。番組指定一欄情報がデジタル放送受信装置に予め設定もしくは記憶されている場合は、Ｓ１５０の番組指定一欄情報の取得処理は不要である。また、結局、後述するステップ１８０により番組指定一欄情報からユーザの嗜好に合致した番組指定情報を選択するので、このステップ１６０のユーザ情報による適合処理も、省略しても勿論よい。また、番組指定一欄情報や番組指定情報は、ＥＰＧ（電子番組表）のように、電源がオフでも自動的に１日に何度か受信して、電源オンして自動再生モードが設定されていた場合に、ディスプレイ（図示せず）に表示するようにしても勿論よい。このようにすれば、本装置設置後数日経過して電源オンすれば、自動再生モードが設定されている場合には、必ず番組指定一欄情報や番組指定情報が表示され、ユーザに選択させることが可能となる。
【００３８】
ユーザ情報に適合する番組指定情報がある場合、番組情報管理部１０は、ユーザ情報に適合する番組指定情報を番組指定情報メモリ１２に記憶させて、合成部１１を介してその番組指定情報と、映像デコーダ４からの映像とを合成して、映像出力部６によりオンスクリーン表示させる(Ｓ１７０）。なお、番組指定一覧情報自体の配信がなく、直接、番組指定情報を配信してきて、番組指定一欄情報を使用せずに番組指定情報を直接選択する場合は、番組指定一欄情報がデジタル放送受信装置に予め記憶されている場合と同様に、ユーザ情報に適合する番組指定情報を受信したときにオンスクリーン表示するようにしても勿論よい。
【００３９】
映像出力部６により表示された番組指定一覧情報を参照して、ユーザがユーザ入力部８により好みの番組指定情報を選択すると(Ｓ１８０）、番組情報管理部１０は、制御部９を介し番組指定情報の選択を受け付け、選択された番組指定情報の内容を番組指定情報メモリ１２から読み出し、番組予約部１３に設定する(Ｓ１９０）。このようなことを、ユーザが最初番組を受信している間、すなわち電源がオンしている間、続けて行う。
【００４０】
そして、現在視聴している番組の視聴が終了すると、ユーザがユーザ入力部８を介し電源オフを指示するので、制御部９はユーザ入力部８を介したユーザからの指示により電源をオフにする(Ｓ２１０）。これで、本発明および本実施の形態の特徴である自動再生モードの設定、および自動再生モードにおける番組予約処理が完了する。なお、番組予約部１３に設定した際に(Ｓ１９０）、自動的に本装置の電源がオフにするように設定しても勿論よい。
【００４１】
次に、番組指定一欄情報および番組指定情報の具体例について説明する。
【００４２】
図３は、本実施の形態１のデジタル放送受信装置が受信する番組指定一欄情報３０の一例を示している。
【００４３】
番組指定一欄情報３０は、放送局やＴＶ番組表作成装置等の外部装置から放送や通信により１日または数日に一回ないしは数回受信するもので、ユーザが選択する番組指定情報の一覧を示している。なお、番組指定一欄情報３０は、前述したようにデジタル放送受信装置に予め記憶されていても勿論よい。
【００４４】
図３に示す番組指定一欄情報３０では、指定情報番号１，２，３，・・・毎に、ジャンル、対象者・年齢、嗜好、時間帯、属性等の番組選択項目が設定されている。例えば、指定情報番号１の場合、ジャンルは“スポーツ”、対象者・年齢および嗜好は“無し”、放送の時間帯は“１６；００〜２２；００”と設定されており、指定情報番号２の場合、ジャンルは“映画”、対象者・年齢は“１８歳以上”、嗜好は“アダルト向け”、放送の時間帯は“無し”と設定されている。
【００４５】
なお、番組指定一欄情報３０に掲載された各番組指定情報の番組選択項目は、基本的には、SI（Ｓｅｒｖｉｃｅ Ｉｎｆｏｒｍａｔｉｏｎ）や、G-GUIDEから得られる放送番組の属性情報と基本的な項目は、ほぼ同じである。また、番組指定一欄情報３０におけるユーザによる番組選択基準となる項目としては、ジャンル、対象者・年齢、嗜好、時間帯以外に、例えば、主演者、共演者、キーワード、暴力性、残虐性、アダルト向け、放送日、放送時間、チャンネル等の項目が挙げられる。
【００４６】
図４は、番組指定一覧情報３０に掲載された指定情報番号１の番組指定情報である絶対時間番組指定情報４０の一例を示している。
【００４７】
指定情報番号１の絶対時間番組指定情報４０は、番組指定一覧情報３０に掲載されているもので、絶対的な時間によりデジタル放送番組の視聴を指定する番組指定情報であり、指定したジャンル（指定情報番号１の場合、“スポーツ”である。）の複数の放送番組の自動再生を一度に設定する番組指定情報である。
【００４８】
具体的には、図４に示す指定情報番号１の絶対時間番組指定情報４０は、番組番号２１、２２、２３、…のジャンルがスポーツの番組受信を一度に設定しており、番組番号２１のスポーツ番組は、放送方式が“地上波デジタル”、チャンネルが“ＮＨＫ  ０１１”、放送日が“２００６年７月１日”、開始終了時刻が“１１；００〜１２；３０”と指定され、番組番号２２のスポーツ番組は、放送方式が“ＢＳ”、チャンネルが“ＮＨＫ  １０３”、放送日が“２００６年７月１日”、開始終了時刻が“１５；１５〜１６；００”と、番組番号２３のスポーツ番組は、放送方式が“ＣＳ１”、チャンネルが“０５５”、放送日が“２００６年７月２日”、開始終了時刻が“０９；００〜１０；００”と指定されている。
【００４９】
なお、この図４に示す絶対時間番組指定情報４０では、２日分の番組を指定しているが、１日だけでも、３日以上でも、１週間分、２週間分でも良い。これは、絶対時間番組指定情報４０は、EPG（電子番組表）と同様に指定できる日数に制限があり、指定できる日数を超えた場合、再度、次の日数分の内容を送信するからである。
【００５０】
図５は、番組指定一覧情報３０に掲載されない指定情報番号９９の番組指定情報である相対時間番組指定情報５０の一例を示している。
【００５１】
指定情報番号９９の相対時間番組指定情報５０は、何時発生して配信されてくるかわからず、災害・緊急時等にイベント的に放送される災害・緊急放送番組などを視聴するための番組指定情報で、何時発生して配信されてくるかわからないので、予め選択できず、番組指定一覧情報３０に掲載されない番組指定情報である。この相対時間番組指定情報５０は、放送方式、チャンネル、開始時間、および放送継続時間により、ある緊急放送番組や、不定期な放送番組の受信を示している。この場合、図４に示す絶対時間番組指定情報４０とは異なり、放送日や絶対的な開始終了時間により番組を指定するものではない。
【００５２】
具体的には、図５に示す指定情報番号９９の相対時間番組指定情報５０は、放送方式が“地上波デジタル”、チャンネルが“ＮＨＫ  １０３”、開始時間が“現在時刻から１０分後”、放送継続時間が“３０分間”と指定されている。なお、この相対時間番組指定情報５０では、開示時間や放送継続時間は、任意的な設定項目であり、設定しなくても良く、災害・緊急放送番組が放送されている間は、必ず受信してディスプレイに出力し再生させるように設定しても勿論よい。また、この指定情報番号９９の相対時間番組指定情報５０は、自動受信できる番組１つだけとしているが、２番組以上あっても勿論よく、相対時間番組指定情報５０を連続して取得すれば、その放送継続時間を延長できる一方、相対時間番組指定情報５０を取得しなければこの災害・緊急放送番組の継続性は無くなる。
【００５３】
そして、本実施の形態１では、図５に示す相対時間番組指定情報５０の災害・緊急放送番組等の番組のほうが、図４に示す絶対時間番組指定情報４０の通常番組より優先的に出力されて再生されるように初期設定されている。これにより、絶対時間で指定された放送される一般の放送番組が再生されていても、イベント的に発生する災害・緊急放送番組の方を優先的に再生できることになり、災害・緊急放送番組等にも上手く対応できることになる。
【００５４】
次に、本実施の形態の自動再生モードにおける自動再生の動作を説明する。
【００５５】
図６は、本実施の形態の自動再生モードにおける自動再生の動作を示すフローチャートである。
【００５６】
まず、図１に示すデジタル放送受信装置では、制御部９が、図２のステップ１４０の処理にて自動再生モードが有効に設定されているか否かを判断すると共に(Ｓ２００）、図２のステップＳ１９０の処理にて番組予約部１３に番組指定情報による予約が設定されているか否かを判断する(Ｓ２１０）。
【００５７】
ここで、Ｓ１４０により自動再生モードが有効に設定されており(Ｓ２００“ＹＥＳ”）、かつ、Ｓ１９０にて番組予約部１３に番組指定情報による予約が設定されている場合(Ｓ２１０“ＹＥＳ”）、制御部９は、放送局等から放送や送信された受信して選択した番組指定情報に各番組毎の開始時間に基づき開始の予約時間を監視する(Ｓ２２０）。
【００５８】
そして、制御部９は、番組指定情報の各番組毎の開始時間に基づき開始時間になると(Ｓ２２０“ＹＥＳ”）、本装置の電源をＯＮにして(Ｓ２３０）、番組指定情報に基づきチューナ２が予約番組を選局して番組視聴を可能とする(Ｓ２４０）。
【００５９】
この際、番組情報管理部１０は、分離部３で抽出された管理情報から新たな番組指定情報の取得を試みており、新たな番組指定情報があれば、番組指定情報メモリ１２に格納して管理する(Ｓ２５０）。これは、一つには、何時発生するか不明であるため、図３に示す番組指定一覧情報３０では指定できず、災害や緊急時等にイベント的に放送される災害・緊急放送番組などを視聴するための相対時間番組指定情報５０を受信して、災害・緊急放送番組など自動で受信して再生するためである。また、二つ目には、予め放送時刻のわかっている絶対時刻で放送される図４に示す絶対時間番組指定情報４０の場合であっても、番組変更や、番組内容を決定可能な期間が決まっており、途中で絶対時間番組指定情報４０の内容が変更されたり、以前に受信した絶対時間番組指定情報４０では未指定な新たな期間となるので、新たな期間の絶対時間番組指定情報４０を設定する必要があるからである。
【００６０】
従って、ここで受信する新しい番組指定情報には、図４に示す放送開始終了時間を絶対時間で示す絶対時間番組指定情報４０もあり得るし、図５に示す放送開始終了時間を現在時間を基準にした相対時間で示す相対時間番組指定情報５０もあり得る。ただし、本実施の形態では、図５に示す相対時間により示す相対時間番組指定情報５０の場合、自動再生モードに設定した場合、全てのデジタル放送受信装置が原則として受信して、その災害・緊急放送番組など自動で受信および再生するものとして説明しているので、図５に示す相対時間番組指定情報５０の受信は、電源オン、オフに関わらず受信するようにしても良い。
【００６１】
また、ここで受信する番組指定情報は、基本的には、災害・緊急放送番組などを視聴するための相対時間番組指定情報５０か、あるいは現在自動再生モードで受信して再生しているデジタル放送番組に対しジャンルや対象者・年齢、嗜好が同じ番組を示す絶対時間番組指定情報４０に限られることになる。そして、後者の場合には、絶対時間番組指定情報４０は、自動再生モードで受信して再生しているデジタル放送番組に多重する等して、そのデジタル放送番組と共に受信することになる。また、自動再生モードで受信して再生しているデジタル放送番組に対しジャンルや対象者・年齢、嗜好が同じ番組を示す絶対時間番組指定情報４０に限るために、このデジタル放送受信装置において、ユーザが番組指定一覧情報３０にて選択した指定情報番号の“１”や“２”を元にフィルタをかけ、選択した指定情報番号の番組指定情報のみを受信するようにしても良い。またさらに、その両者以外の番組指定情報や、図３に示す番組指定一覧情報を受信するため、図２に示すＳ１６０〜１８０のユーザ情報に適合する番組指定情報の選択処理や、好みの番組指定情報の選択・設定処理を、Ｓ２５０とＳ２６０との間や、Ｓ２５０やＳ２６０の処理の一部として設けるようにしても良い。
【００６２】
そして、番組予約部１３は、新しい番組指定情報が番組指定情報メモリ１２に記憶されれば、新たな番組指定情報による予約を設定する(Ｓ２６０）。
【００６３】
また、絶対時間番組指定情報４０により番組を自動受信してディスプレイに出力し再生させている際、相対時間番組指定情報５０が受信され、その相対時間番組指定情報５０が示す開始時間がきた場合、制御部９は、現在再生している絶対時間の番組を終了して、相対時間の番組を受信してディスプレイに出力し再生させるようにする。これにより、イベント的に発生する災害・緊急番組も、確実に自動再生することが可能となる。
【００６４】
次に、制御部９は、番組指定情報の終了時間に基づく番組視聴予約の終了を監視し(Ｓ２７０）、番組視聴の予約が終了するまで(Ｓ２７０“ＮＯ”）、そのデジタル放送番組を受信して再生させると共に、新しい番組指定情報を取得して新しい予約を設定する(Ｓ２５０，Ｓ２６０）。なお、上述したように、新しい番組指定情報の取得は、番組指定モードがオンであれば、ＥＰＧの受信ように、電源オフ中に受信中に行うようにしても勿論よい。
【００６５】
そして、新しい番組指定情報に基づく予約が終了した場合(Ｓ２７０“ＹＥＳ”）、制御部９は、時間的に連続した予約が存在するか番組予約部１３の情報より判断し(Ｓ２８０）、連続した予約がない場合(Ｓ２７０“ＮＯ”）、制御部９は、電源をＯＦＦにして（Ｓ２９０）、Ｓ２００の処理に戻り、Ｓ２００以降の処理を継続する。
【００６６】
このように、本実施の形態によれば、デジタル放送受信装置が自動でオンして受信し再生しオフする番組を指定する番組指定情報を、放送局側等の送信側が用意してデジタル放送等の一部としてデジタル放送受信装置に提供し、デジタル放送受信装置では、自動再生モードに設定した場合には、番組指定情報が示す番組のチャンネルと、そのチャンネルの開始時間および終了時間とに基づいて、自動的に電源オンしてそのチャンネルが示す番組を受信してディスプレイに出力して再生すると共に、その再生終了後、電源オフするので、ユーザの手を煩わすことなく自動的にデジタル放送番組を受信させて再生することができる。
【００６７】
また、デジタル放送受信装置が自動でオンして受信し再生しそしてオフする番組を指定する番組指定情報を、放送局側等の送信側が用意してデジタル放送等の一部としてデジタル放送受信装置に提供するので、放送局側等の送信側としても、単に複数の番組をデジタル放送により多重化して放送するだけでなく、例えば、スポーツ施設や、教育・公共施設、飲食店などの特定のユーザや、非常時の放送などの場合には、特定ユーザに負担をかけずに、当該特定ユーザにふさわしい番組のみを簡便に提供することが可能となる。
【図面の簡単な説明】
【００６８】
【図１】本発明の第１の実施の形態に関わるデジタル放送受信装置の構成の一例を示すブロック図である。
【図２】本実施の形態１における番組指定情報を取得して設定するまでの手順を示すフローチャートである。
【図３】本実施の形態１のデジタル放送受信装置が受信する番組指定一欄情報３０の一例を示す図である。
【図４】番組指定一覧情報３０に掲載された指定情報番号１の番組指定情報である絶対時間番組指定情報４０の一例を示す図である。
【図５】番組指定一覧情報３０に掲載されない指定情報番号９９の番組指定情報である相対時間番組指定情報５０の一例を示す図である。
【図６】本実施の形態の自動再生モードにおける自動再生の動作を示すフローチャートである。
【符号の説明】
【００６９】
１  アンテナ
２  チューナ（受信手段）
３  分離部
４  映像デコーダ
５  音声デコーダ
６  映像出力部（出力手段）
７  音声出力部（出力手段）
８  ユーザ入力部（モード設定手段）
９  制御部（制御手段）
１０  番組情報管理部
１１  合成部
１２  番組指定情報メモリ
１３  番組予約部
【図１】
0004760436.tif 000002
【図２】
0004760436.tif 000003
【図３】
0004760436.tif 000004
【図４】
0004760436.tif 000005
【図５】
0004760436.tif 000006
【図６】
0004760436.tif 000007